(57)【要約】【課題】低コストでセンサネットワークの運用管理サービスを提供することが可能な運用管理サービスシステムの提供。【解決手段】運用管理サービスシステムＳは、センサネットワークを構築している複数のセンサノード２と無線ＡＰ装置３と腕輪型の移動ノード４と情報採取用のチケットカード５と管理サーバ６とから構成される。センサネットワークが構築されている作業エリアで作業を行う作業者１にチケットカード５を装着した移動ノード４を持たせ、移動ノード４とログが採取されていないセンサノード２が送受信可能になった時、ログをチケットカード５に格納する。移動ノード４が管理エリアの無線ＡＰ装置３と送受信可能になった時、ログを移動ノード４から無線ＡＰ装置３経由で管理サーバ６に送り、管理サーバ６がログの収集を行う。【選択図】図１
2007336318.tif 000002
【特許請求の範囲】
【請求項１】
作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が腕に付けてセンサノード及び無線アクセスポイント装置とデータの送受信を行う腕輪型移動ノードと、前記腕輪型移動ノードに着脱自在に装着される情報採取用チケットカードと、前記無線アクセスポイント装置に接続される管理サーバとから構成され、腕輪型移動ノードを用いたセンサネットワークの運用管理サービスを行うシステムであって、
前記複数のセンサノードは、ノードＩＤをそれぞれ有し、ログを腕輪型移動ノードに送信する手段を備えており、前記腕輪型移動ノードは、前記情報採取用チケットカードの装着を検知する手段と、センサノードから送信されたログを受信する手段と、受信したセンサノードのログを情報採取用チケットカードに送る手段と、情報採取用チケットカードから送られたセンサノードのログを受け取る手段と、受け取ったセンサノードのログを無線アクセスポイント装置に送信する手段とを備えており、前記情報採取用チケットカードは、記録部を有し、前記腕輪型移動ノードから送られたセンサノードのログを受け取る手段と、受け取ったセンサノードのログをノードＩＤ毎に前記記録部に記録する手段と、記録部に記録されたセンサノードのログを腕輪型移動ノードに送る手段とを備えており、前記無線アクセスポイント装置は、腕輪型移動ノードから送信されたセンサノードのログを受信する手段と、受信したセンサノードのログを前記管理サーバに送る手段とを備えており、前記管理サーバは、収集ログデータベースを有し、前記無線アクセスポイント装置から送られたセンサノードのログを収集する手段と、収集したセンサノードのログを前記収集ログデータベースに格納する手段と、ログを分析する手段とを備えたことを特徴とする運用管理サービスシステム。
【請求項２】
上記腕輪型移動ノードは、情報採取確認用表示部を有し、センサノードからのログの情報採取が行われたことを前記情報採取確認用表示部に表示する請求項１に記載の運用管理サービスシステム。
【請求項３】
上記腕輪型移動ノードは、報知手段を備え、前記報知手段は、センサノードからのログの情報採取が行われたことを情報採取音で報知する請求項１に記載の運用管理サービスシステム。
【請求項４】
作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が腕に付けてセンサノード及び無線アクセスポイント装置とデータの送受信を行う腕輪型移動ノードと、前記腕輪型移動ノードに着脱自在に装着される情報設定用チケットカードと、前記無線アクセスポイント装置に接続される管理サーバとから構成され、腕輪型移動ノードを用いたセンサネットワークの運用管理サービスを行うシステムであって、
前記複数のセンサノードは、ノードＩＤをそれぞれ有し、腕輪型移動ノードから送信された設定ファイルを受信する手段と、受信した設定ファイルを適用する手段とを備えており、前記腕輪型移動ノードは、前記情報設定用チケットカードの装着を検知する手段と、情報設定用チケットカードから送られた設定ファイルを受け取る手段と、受け取った設定ファイルをセンサノードに送信する手段と、設定ファイルを前記無線アクセスポイント装置に送信する手段とを備えており、前記情報設定用チケットカードは、記録部を有し、設定ファイルを前記記録部に記録する手段と、前記記録部に記録された設定ファイルを腕輪型移動ノードに送る手段とを備えており、前記無線アクセスポイント装置は、腕輪型移動ノードから送信された設定ファイルを受信する手段と、受信した設定ファイルを前記管理サーバに送る手段とを備えており、前記管理サーバは、記憶部を有し、前記無線アクセスポイント装置から送られた設定ファイルを受け取る手段と、受け取った設定ファイルを前記記憶部に記憶する手段とを備えたことを特徴とする運用管理サービスシステム。
【請求項５】
上記腕輪型移動ノードは、情報設定確認用表示部を有し、センサノードへの設定ファイルの情報設定が行われたことを前記情報設定確認用表示部に表示する請求項４に記載の運用管理サービスシステム。
【請求項６】
上記腕輪型移動ノードは、報知手段を備え、前記報知手段は、センサノードへの設定ファイルの情報設定が行われたことを情報設定音で報知する請求項４に記載の運用管理サービスシステム。
【発明の詳細な説明】
【技術分野】
【０００１】
本発明は、腕輪型移動ノードを用いたセンサネットワークの運用管理サービスを行う運用管理サービスシステムに関するものである。
【背景技術】
【０００２】
現状では、多数のセンサノードから構成されるセンサネットワークの監視やメンテナンスを行うためには、各センサノードからログの収集、解析し、対策を実施する必要がある。
【０００３】
センサネットワークを管理する運用代行会社では、運用コストを削減するために、ログの収集、解析を行う管理サーバをお客様（顧客）先に設置し、遠隔地にある運用代行会社の管理者端末から管理サーバを操作し、ログの収集、解析を行う。
【０００４】
そのためには、管理サーバと運用代行会社の管理者端末がネットワークで接続されている必要があるが、お客様環境によっては、基幹ネットワークとセンサネットワークを接続することができないため、遠隔地から管理サーバを操作できない場合がある。
【０００５】
従来、通信ケーブルの敷設していないフロアに設置されたビル設備管理のための設備機器の機器運転データを収集するシステムが特許文献１に開示されている。
【特許文献１】特開２００２−２８７８１９号公報
【発明の開示】
【発明が解決しようとする課題】
【０００６】
ところが、基幹ネットワークとセンサネットワークを接続するためには、新たな回線の敷設や余分な中継ノードの設置が必要となるため、センサネットワーク構築コストが上昇してしまう。
【０００７】
また、人手でログの収集、管理を行う方法でも、運用代行会社から顧客先に管理者を派遣する必要があり、人件費がかかってしまう。
【０００８】
さらに、移動ノードは、必要な採取情報（ログ）を採取できるようにする必要がある。
作業者は、移動ノードを持ち作業するため、移動ノードの持ち歩きを簡単にする必要がある。
【０００９】
従来の特許文献１に開示されたシステムは、アナログセンサとデータ収集条件を定めたプログラムを備えた移動・携帯型データ収集システムを測定現場に運び、付属のセンサでデータを収集し、移動・携帯型データ収集システムはインターネットなどに接続可能なインタフェースを持っており、通信可能な環境下においてクライアントにデータを表示したり、データ収集条件を指示することができるが、測定現場でのデータ解析・表示、もしくはフロアに移動・携帯型データ収集システムを設置し、インターネットで遠隔管理を行うため、測定現場がインターネットに接続できないような環境では、運用代行会社が人を派遣することなく、ログの収集やセンサノードの設定はできない。
【００１０】
そこで、本発明の目的は、上記の事情に鑑みてなされたものであって、基幹ネットワークとセンサネットワークが接続されていない環境でも、センサノードの遠隔管理が可能となり、作業者が情報採取用チケットカードまたは情報設定用チケットカードを選択して腕輪型移動ノードに装着し、腕輪型移動ノードを腕に付けた作業者が無意識にセンサノードからのログを情報採取やセンサノードへの設定ファイルの情報設定を行うことができ、新たな回線の敷設や余分な中継ノードの設置が不要なので、センサネットワーク構築コストが上昇せず、運用代行会社から顧客先に人を派遣する必要がないので、人件費がかからず、ログの採取、管理、センサノードの設定変更が可能であり、移動ノードを腕輪化することで、人が媒体となってセンサノードからの必要なログの情報採取やセンサノードへの設定ファイルの情報設定を行うため、腕輪型移動ノードが作業者の作業の邪魔にならないようにすることができ、腕輪型移動ノードに装着した情報採取用チケットカードまたは情報設定用チケットカードにより、作業者は採取情報や設定情報を意識しなくてもよく、作業者がセンサノードからのログの情報採取やセンサノードへの設定ファイルの情報設定が行われたかを腕輪型移動ノードにより即確認することが可能で、基幹ネットワークとセンサネットワークを接続する回線の増設が難しい顧客に対しても、低コストでセンサネットワークの運用管理サービスを提供することが可能な運用管理サービスシステムを提供することにある。
【課題を解決するための手段】
【００１１】
本発明の運用管理サービスシステムは、作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が腕に付けてセンサノード及び無線アクセスポイント装置とデータの送受信を行う腕輪型移動ノードと、前記腕輪型移動ノードに着脱自在に装着される情報採取用チケットカードと、前記無線アクセスポイント装置に接続される管理サーバとから構成され、腕輪型移動ノードを用いたセンサネットワークの運用管理サービスを行うシステムであって、前記複数のセンサノードが、ノードＩＤをそれぞれ有し、ログを腕輪型移動ノードに送信する手段を備えており、前記腕輪型移動ノードが、前記情報採取用チケットカードの装着を検知する手段と、センサノードから送信されたログを受信する手段と、受信したセンサノードのログを情報採取用チケットカードに送る手段と、情報採取用チケットカードから送られたセンサノードのログを受け取る手段と、受け取ったセンサノードのログを無線アクセスポイント装置に送信する手段とを備えており、前記情報採取用チケットカードが、記録部を有し、前記腕輪型移動ノードから送られたセンサノードのログを受け取る手段と、受け取ったセンサノードのログをノードＩＤ毎に前記記録部に記録する手段と、記録部に記録されたセンサノードのログを腕輪型移動ノードに送る手段とを備えており、前記無線アクセスポイント装置が、腕輪型移動ノードから送信されたセンサノードのログを受信する手段と、受信したセンサノードのログを前記管理サーバに送る手段とを備えており、前記管理サーバが、収集ログデータベースを有し、前記無線アクセスポイント装置から送られたセンサノードのログを収集する手段と、収集したセンサノードのログを前記収集ログデータベースに格納する手段と、ログを分析する手段とを備えたことを特徴とする構成を有するものである。
【００１２】
本発明の運用管理サービスシステムは、上記腕輪型移動ノードが、情報採取確認用表示部を有し、センサノードからのログの情報採取が行われたことを前記情報採取確認用表示部に表示するようになっている。
【００１３】
本発明の運用管理サービスシステムは、上記腕輪型移動ノードが、報知手段を備え、前記報知手段が、センサノードからのログの情報採取が行われたことを情報採取音で報知するようになっている。
【００１４】
本発明の運用管理サービスシステムは、作業者が作業を行う作業エリアに設置され、センサネットワークを構築している複数のセンサノードと、作業者の作業管理を行う管理エリアに設置される無線アクセスポイント装置と、作業エリアと管理エリアを巡回する作業者が腕に付けてセンサノード及び無線アクセスポイント装置とデータの送受信を行う腕輪型移動ノードと、前記腕輪型移動ノードに着脱自在に装着される情報設定用チケットカードと、前記無線アクセスポイント装置に接続される管理サーバとから構成され、腕輪型移動ノードを用いたセンサネットワークの運用管理サービスを行うシステムであって、前記複数のセンサノードが、ノードＩＤをそれぞれ有し、腕輪型移動ノードから送信された設定ファイルを受信する手段と、受信した設定ファイルを適用する手段とを備えており、前記腕輪型移動ノードが、前記情報設定用チケットカードの装着を検知する手段と、情報設定用チケットカードから送られた設定ファイルを受け取る手段と、受け取った設定ファイルをセンサノードに送信する手段と、設定ファイルを前記無線アクセスポイント装置に送信する手段とを備えており、前記情報設定用チケットカードが、記録部を有し、設定ファイルを前記記録部に記録する手段と、前記記録部に記録された設定ファイルを腕輪型移動ノードに送る手段とを備えており、前記無線アクセスポイント装置が、腕輪型移動ノードから送信された設定ファイルを受信する手段と、受信した設定ファイルを前記管理サーバに送る手段とを備えており、前記管理サーバが、記憶部を有し、前記無線アクセスポイント装置から送られた設定ファイルを受け取る手段と、受け取った設定ファイルを前記記憶部に記憶する手段とを備えたことを特徴とする構成を有するものである。
【００１５】
本発明の運用管理サービスシステムは、上記腕輪型移動ノードが、情報設定確認用表示部を有し、センサノードへの設定ファイルの情報設定が行われたことを前記情報設定確認用表示部に表示するようになっている。
【００１６】
本発明の運用管理サービスシステムは、上記腕輪型移動ノードが、報知手段を備え、前記報知手段が、センサノードへの設定ファイルの情報設定が行われたことを情報設定音で報知するようになっている。
【発明の効果】
【００１７】
以上に述べたように、本発明によれば、基幹ネットワークとセンサネットワークが接続されていない環境でも、センサノードの遠隔管理が可能となり、作業者が情報採取用チケットカードまたは情報設定用チケットカードを選択して腕輪型移動ノードに装着し、腕輪型移動ノードを腕に付けた作業者が無意識にセンサノードからのログを情報採取やセンサノードへの設定ファイルの情報設定を行うことができ、新たな回線の敷設や余分な中継ノードの設置が不要なので、センサネットワーク構築コストが上昇せず、運用代行会社から顧客先に人を派遣する必要がないので、人件費がかからず、ログの採取、管理、センサノードの設定変更が可能であり、移動ノードを腕輪化することで、人が媒体となってセンサノードからの必要なログの情報採取やセンサノードへの設定ファイルの情報設定を行うため、腕輪型移動ノードが作業者の作業の邪魔にならないようにすることができ、腕輪型移動ノードに装着した情報採取用チケットカードまたは情報設定用チケットカードにより、作業者は採取情報や設定情報を意識しなくてもよく、作業者がセンサノードからのログの情報採取やセンサノードへの設定ファイルの情報設定が行われたかを腕輪型移動ノードにより即確認することが可能で、基幹ネットワークとセンサネットワークを接続する回線の増設が難しい顧客に対しても、低コストでセンサネットワークの運用管理サービスを提供することが可能な運用管理サービスシステムを得ることができる。
【発明を実施するための最良の形態】
【００１８】
以下、本発明を実施するための最良の形態を図面を参照して詳細に説明する。
【実施例】
【００１９】
本発明の運用管理サービスシステムＳは、作業者１が作業を行う作業エリアＡ，Ｂ，Ｃに設置され、センサネットワークを構築している複数のセンサノード２と、作業者１の作業管理を行う管理エリアＤに設置される無線アクセスポイント（Ａｃｃｅｓｓ  Ｐｏｉｎｔ；ＡＰ）装置３と、作業エリアＡ，Ｂ，Ｃと管理エリアＤを巡回する作業者１が腕に付けてセンサノード２及び無線アクセスポイント装置３とデータの送受信を行う腕輪型移動ノード４と、腕輪型移動ノード４に着脱自在に装着される情報採取用チケットカード５と、無線アクセスポイント装置３に接続される管理サーバ６とから構成されている。
【００２０】
本発明の運用管理サービスシステムＳは、腕輪型移動ノード４を用いたセンサネットワークの運用管理サービスを行うシステムである。
【００２１】
本発明の運用管理サービスシステムＳは、複数のセンサノード２が、ノードＩＤをそれぞれ有している。
【００２２】
本発明の運用管理サービスシステムＳは、複数のセンサノード２が、ログ２０を腕輪型移動ノード４に送信する手段を備えている。
【００２３】
本発明の運用管理サービスシステムＳは、腕輪型移動ノード４が、情報採取用チケットカード５の装着を検知する手段と、センサノード２から送信されたログ２０を受信する手段と、受信したセンサノード２のログ２０を情報採取用チケットカード５に送る手段と、情報採取用チケットカード５から送られたセンサノード２のログ２０を受け取る手段と、受け取ったセンサノード２のログ２０を無線アクセスポイント装置３に送信する手段とを備えている。
【００２４】
本発明の運用管理サービスシステムＳは、情報採取用チケットカード５が、記録部５０を有している。
【００２５】
本発明の運用管理サービスシステムＳは、情報採取用チケットカード５が、腕輪型移動ノード４から送られたセンサノード２のログ２０を受け取る手段と、受け取ったセンサノード２のログ２０をノードＩＤ毎に記録部５０に記録する手段と、記録部５０に記録されたセンサノード２のログ２０を腕輪型移動ノード４に送る手段とを備えている。
【００２６】
本発明の運用管理サービスシステムＳは、無線アクセスポイント装置３が、腕輪型移動ノード４から送信されたセンサノード２のログ２０を受信する手段と、受信したセンサノード２のログ２０を管理サーバ６に送る手段とを備えている。
【００２７】
本発明の運用管理サービスシステムＳは、管理サーバ６が、収集ログデータベース（Ｄａｔａ  Ｂａｓｅ；ＤＢ）６０を有している。
【００２８】
本発明の運用管理サービスシステムＳは、管理サーバ６が、無線アクセスポイント装置３から送られたセンサノード２のログ２０を収集する手段と、収集したセンサノード２のログ２０を収集ログデータベース６０に格納する手段と、ログ２０を分析する手段とを備えている。
【００２９】
本発明の運用管理サービスシステムＳは、腕輪型移動ノード４が、情報採取確認用表示部４０を有している。
【００３０】
本発明の運用管理サービスシステムＳは、腕輪型移動ノード４が、センサノード２からのログ２０の情報採取が行われたことを情報採取確認用表示部４０に表示するようになっている。
【００３１】
本発明の運用管理サービスシステムＳは、腕輪型移動ノード４が、報知手段であるブザー４１を備えている。
【００３２】
本発明の運用管理サービスシステムＳは、腕輪型移動ノード４のブザー４１が、センサノード２からのログ２０の情報採取が行われたことを情報採取音で報知するようになっている。
【００３３】
本発明の運用管理サービスシステムＳは、作業者１が作業を行う作業エリアＡ，Ｂ，Ｃに設置され、センサネットワークを構築している複数のセンサノード２と、作業者１の作業管理を行う管理エリアＤに設置される無線アクセスポイント（ＡＰ）装置３と、作業エリアＡ，Ｂ，Ｃと管理エリアＤを巡回する作業者１が腕に付けてセンサノード２及び無線アクセスポイント装置３とデータの送受信を行う腕輪型移動ノード４と、腕輪型移動ノード４に着脱自在に装着される情報設定用チケットカード７と、無線アクセスポイント装置３に接続される管理サーバ６とから構成されている。
【００３４】
本発明の運用管理サービスシステムＳは、腕輪型移動ノード４を用いたセンサネットワークの運用管理サービスを行うシステムである。
【００３５】
本発明の運用管理サービスシステムＳは、複数のセンサノード２が、ノードＩＤをそれぞれ有している。
【００３６】
本発明の運用管理サービスシステムＳは、複数のセンサノード２が、腕輪型移動ノード４から送信された設定ファイル７０を受信する手段と、受信した設定ファイル７０を適用する手段とを備えている。
【００３７】
本発明の運用管理サービスシステムＳは、腕輪型移動ノード４が、情報設定用チケットカード７の装着を検知する手段と、情報設定用チケットカード７から送られた設定ファイル７０を受け取る手段と、受け取った設定ファイル７０をセンサノード２に送信する手段と、設定ファイル７０を無線アクセスポイント装置３に送信する手段とを備えている。
【００３８】
本発明の運用管理サービスシステムＳは、情報設定用チケットカード７が、記録部７１を有している。
【００３９】
本発明の運用管理サービスシステムＳは、情報設定用チケットカード７が、設定ファイル７０を記録部７１に記録する手段と、記録部７１に記録された設定ファイル７０を腕輪型移動ノード４に送る手段とを備えている。
【００４０】
本発明の運用管理サービスシステムＳは、無線アクセスポイント装置３が、腕輪型移動ノード４から送信された設定ファイル７０を受信する手段と、受信した設定ファイル７０を管理サーバ６に送る手段とを備えている。
【００４１】
本発明の運用管理サービスシステムＳは、管理サーバ６が、記憶部（図示せず）を有している。
【００４２】
本発明の運用管理サービスシステムＳは、管理サーバ６が、無線アクセスポイント装置３から送られた設定ファイル７０を受け取る手段と、受け取った設定ファイル７０を記憶部に記憶する手段とを備えている。
【００４３】
本発明の運用管理サービスシステムＳは、腕輪型移動ノード４が、情報設定確認用表示部４２を有している。
【００４４】
本発明の運用管理サービスシステムＳは、腕輪型移動ノード４が、センサノード２への設定ファイル７０の情報設定が行われたことを情報設定確認用表示部４２に表示するようになっている。
【００４５】
本発明の運用管理サービスシステムＳは、腕輪型移動ノード４が、報知手段であるブザー４１を備えている。
【００４６】
本発明の運用管理サービスシステムＳは、腕輪型移動ノード４のブザー４１が、センサノード２への設定ファイル７０の情報設定が行われたことを情報設定音で報知するようになっている。
【００４７】
図１は、本発明の実施例に係る運用管理サービスシステムを示すシステム構成図である。
運用管理サービスシステムＳは、図１に示すように、顧客先１０の作業エリアＡ，Ｂ，Ｃに設置されたセンサネットワークを構築している複数のセンサノード２と、顧客先１０の管理エリアＤに設置された無線アクセスポイント装置３と、顧客先１０の作業エリアＡ，Ｂ，Ｃと管理エリアＤを巡回する作業者１が腕に付ける腕輪型移動ノード４と、腕輪型移動ノード４に着脱自在に装着される情報採取用チケットカード５及び情報設定用チケットカード７と、顧客先１０に設置された管理サーバ６とから構成されている。
【００４８】
顧客先（農園）１０の作業エリア（各農地）Ａ，Ｂ，Ｃには、図１に示すように、温度・湿度を計測するための複数のセンサノード２が設置されている。
【００４９】
顧客先１０の管理エリア（事務所）Ｄには、無線アクセスポイント装置３が設置されている。
【００５０】
顧客先１０の作業エリアＡ，Ｂ，Ｃで農作業を行う作業者１の腕には、腕輪型移動ノード４が装着される。
【００５１】
顧客先１０には、管理サーバ６が設置されている。
【００５２】
管理サーバ６には、管理サーバ設定値としてログ収集状況確認間隔とログ収集確認時間があらかじめ設定されている。
【００５３】
管理サーバ６は、図１に示すように、収集ログデータベース６０とログ収集状況管理データベース６１と設定値管理データベース６２とを有している。
【００５４】
管理サーバ６は、収集したセンサノード２のログを収集ログデータベース６０に格納するようになっている。
【００５５】
管理サーバ６は、ノードＩＤとセンサノード２の設置場所とを対応させたセンサノード一覧表をログ収集状況管理データベース６１に格納するようになっている。
【００５６】
管理サーバ６は、腕輪型移動ノード４に対してセンサノード２のログ収集要請を行うノードＩＤを表にまとめたログ収集要請一覧表をログ収集状況管理データベース６１に格納するようになっている。
【００５７】
管理サーバ６は、センサノード２への設定ファイルの適用状況を表にまとめた設定ファイル適用状況一覧表を設定値管理データベース６２に格納するようになっている。
【００５８】
無線アクセスポイント装置３と管理サーバ６とは、ＬＡＮ（Ｌｏｃａｌ  Ａｒｅａ  Ｎｅｔｗｏｒｋ）８でネットワーク接続されている。
【００５９】
運用代行会社９には、図１に示すように、管理者端末９０が設置されている。
【００６０】
顧客先１０の管理サーバ６と運用代行会社９の管理者端末９０とは、ネットワークＮＷで接続されている。
【００６１】
管理者端末９０は、図１に示すように、表示部９１を備えている。
【００６２】
管理者端末９０は、管理サーバ６にログ収集状況の問い合わせを行い、ログ収集状況管理データベース６１に格納されているログ収集要請一覧表に記載されたノードＩＤを基にセンサノード一覧表を検索し、センサノード２の設置場所を特定し、特定したログ収集が行われていないノードＩＤと設置場所を表示部９１に表示させるようになっている。
【００６３】
管理者端末９０は、管理サーバ６に対してセンサノード２のログ収集状況を確認するようになっている。
【００６４】
管理者端末９０は、センサノード２の設定値の変更を管理サーバ６に指示するようになっている。
【００６５】
本発明の運用管理サービスシステムは、センサネットワークが構築されている作業エリア（農地）Ａ，Ｂ，Ｃで作業を行う作業者１に腕輪型移動ノード（情報採取用チケットカード５または情報設定用チケットカード７を装着）４を持たせ、腕輪型移動ノード４とログ２０が採取されていないセンサノード２が送受信可能になったとき、センサノード２のログ（採取情報）２０を腕輪型移動ノード４に装着された情報採取用チケットカード５に格納する。
【００６６】
情報採取用チケットカード５を装着した腕輪型移動ノード４を管理サーバ６に接続された無線アクセスポイント装置３に近づけて、センサノード２から採取した採取データであるログ２０を腕輪型移動ノード４から無線アクセスポイント装置３経由で管理サーバ６に送る。
【００６７】
情報採取用チケットカード５を装着した腕輪型移動ノード４が管理サーバ６に接続された管理エリア（事務所）Ｄの無線アクセスポイント装置３と送受信可能になったとき、情報採取用チケットカード５に格納されたセンサノード２のログ２０を腕輪型移動ノード４から無線アクセスポイント装置３経由で管理サーバ６に送ることにより、管理サーバ６は、間接的にセンサノード２のログ２０の収集を行う。
【００６８】
また、管理サーバ６でセンサノード２のログを解析した結果、センサノード２に処理を行う必要がある場合、処理を記述したバッチファイルや設定ファイルをログ採取時と同様に腕輪型移動ノード４経由でセンサノード２に送り、センサノード２に実行させる。
【００６９】
この時に、採取情報、設定情報の選択、作業時、邪魔にならないように移動ノードの腕輪化を図る。
【００７０】
センサノードのログ２０には、作業エリアに設置されたセンサノードで温度・湿度の計測が行われた「時刻」と、センサノードで計測した作業エリアの「温度」と、センサノードで計測した作業エリアの「湿度」とが記録されている。
【００７１】
図２は、本発明の実施例に係る運用管理サービスシステムの腕輪型移動ノードを示す図である。
腕輪型移動ノード４は、図２に示すように、移動ノード本体４３を有している。
【００７２】
腕輪型移動ノード４の移動ノード本体４３の両端には、バンド４４が取り付けられている。
【００７３】
腕輪型移動ノード４の移動ノード本体４３の上面には、図２に示すように、情報採取確認用表示部４０と情報設定確認用表示部４２とブザー４１とがそれぞれ設けられている。
【００７４】
腕輪型移動ノード４の移動ノード本体４３の側面には、情報採取用チケットカード５または情報設定用チケットカード７を挿入するスロット４５が形成されている。
【００７５】
図３は、本発明の実施例に係る運用管理サービスシステムの腕輪型移動ノードに装着される情報採取用チケットカードを示す図である。
情報採取用チケットカード５は、図３に示すように、記録部５０として、ＩＤ部５１とデータ部５２とを備えている。
【００７６】
情報採取用チケットカード５のＩＤ部５１には、センサノード２のログの情報採取を行う作業エリアのエリア名，センサノード２から情報採取するログの採取情報コード，ログを採取するセンサノード２のポイントＮｏ．が記憶されている。
【００７７】
情報採取用チケットカード５のデータ部５２には、ポイントＮｏ．に対応したデータ１が格納されている。
【００７８】
図４は、本発明の実施例に係る運用管理サービスシステムの腕輪型移動ノードに装着される情報設定用チケットカードを示す図である。
情報設定用チケットカード７は、図４に示すように、記録部７１として、ＩＤ部７２とデータ部７３とを備えている。
【００７９】
情報設定用チケットカード７のＩＤ部７２には、センサノード２に設定ファイルの情報設定を行う作業エリアのエリア名，センサノード２に情報設定する設定ファイルの設定情報コード，設定ファイルを設定するセンサノード２のポイントＮｏ．が記憶されている。
【００８０】
情報設定用チケットカード７のデータ部７３には、ポイントＮｏ．に対応したデータ１が格納されている。
【００８１】
本実施例は、ネットワーク環境がない作業エリアＡ，Ｂ，Ｃで、センサネットワークを使用して、センサノード２の採取情報（ログ）を採取する場合、作業者１が腕輪型移動ノード４を腕に付け、各作業エリアＡ，Ｂ，Ｃへ順番に回って、センサノード２の点検などの作業とセンサノード２から採取情報（ログ）を採取する必要がある。
【００８２】
この時、採取する情報を選択する必要がある場合、作業エリアの判定、作業エリアに合わせた採取情報の選択を行う。
【００８３】
図５は、本発明の実施例に係る運用管理サービスシステムにおける情報採取用チケットカードの選択と腕輪型移動ノードへの装着及び腕輪型移動ノードによるセンサノードからのログの収集時の処理の流れを説明するフローチャート図である。
ステップＳ１００でスタートした処理は、まず、管理エリア（事務所）Ｄにおいて、作業者１はセンサノード２から採取する情報の情報採取用チケットカード５を選ぶ（ステップＳ１０１）。
【００８４】
次いで、管理エリア（事務所）Ｄにおいて、作業者１は腕輪型移動ノード４に情報採取用チケットカード５を装着する（ステップＳ１０２）。
【００８５】
その後、管理エリア（事務所）Ｄにおいて、作業者１は情報採取用チケットカード５を装着した腕輪型移動ノード４を腕に装着する（ステップＳ１０３）。
【００８６】
次いで、作業エリア（農地）Ａにおいて、腕輪型移動ノード４を腕に装着した作業者１は作業エリアＡに設置されたセンサノード２に近づき、腕輪型移動ノード４によるセンサノード２からのログの情報採取を行う（ステップＳ１０４）。
【００８７】
次いで、作業エリア（農地）Ａにおいて、腕輪型移動ノード４が作業エリアＡに設置されたセンサノード２からのログの情報採取が行われたことを情報採取確認用表示部４０に表示し、腕輪型移動ノード４のブザー４１が作業エリアＡに設置されたセンサノード２からのログの情報採取が行われたことを情報採取音で報知し、腕輪型移動ノード４を腕に装着した作業者１はブザー４１及び情報採取確認用表示部４０で情報採取音と情報採取表示の確認を行う（ステップＳ１０５）。
【００８８】
その後、作業エリア（農地）Ａにおいて、腕輪型移動ノード４を腕に装着した作業者１は通常作業を行う（ステップＳ１０６）。
【００８９】
次いで、次の作業エリア（農地）Ｂにおいて、腕輪型移動ノード４を腕に装着した作業者１は作業エリアＢに設置されたセンサノード２に近づき、腕輪型移動ノード４によるセンサノード２からのログの情報採取を行う（ステップＳ１０７）。
【００９０】
次いで、次の作業エリア（農地）Ｂにおいて、腕輪型移動ノード４が作業エリアＢに設置されたセンサノード２からのログの情報採取が行われたことを情報採取確認用表示部４０に表示し、腕輪型移動ノード４のブザー４１が作業エリアＢに設置されたセンサノード２からのログの情報採取が行われたことを情報採取音で報知し、腕輪型移動ノード４を腕に装着した作業者１はブザー４１及び情報採取確認用表示部４０で情報採取音と情報採取表示の確認を行う（ステップＳ１０８）。
【００９１】
その後、次の作業エリア（農地）Ｂにおいて、腕輪型移動ノード４を腕に装着した作業者１は通常作業を行う（ステップＳ１０９）。
【００９２】
次いで、管理エリア（事務所）Ｄにおいて、腕輪型移動ノード４から無線アクセスポイント装置３経由で採取情報であるセンサノード２のログを管理サーバ６へ送信する（ステップＳ１１０）。
【００９３】
その後、管理エリア（事務所）Ｄにおいて、管理サーバ６がセンサノード２から採取した情報（ログ）の管理、分析を行う（ステップＳ１１１）。
【００９４】
図６は、本発明の実施例に係る運用管理サービスシステムにおける情報設定用チケットカードの選択と腕輪型移動ノードへの装着及び腕輪型移動ノードによるセンサノードへの設定ファイルの設定時の処理の流れを説明するフローチャート図である。
ステップＳ２００でスタートした処理は、まず、管理エリア（事務所）Ｄにおいて、作業者１はセンサノード２へ設定する情報の情報設定用チケットカード７を選ぶ（ステップＳ２０１）。
【００９５】
次いで、管理エリア（事務所）Ｄにおいて、作業者１は腕輪型移動ノード４に情報設定用チケットカード７を装着する（ステップＳ２０２）。
【００９６】
その後、管理エリア（事務所）Ｄにおいて、作業者１は情報設定用チケットカード７を装着した腕輪型移動ノード４を腕に装着する（ステップＳ２０３）。
【００９７】
次いで、作業エリア（農地）Ａにおいて、腕輪型移動ノード４を腕に装着した作業者１は作業エリアＡに設置されたセンサノード２に近づき、腕輪型移動ノード４によるセンサノード２への設定ファイルの情報設定を行う（ステップＳ２０４）。
【００９８】
次いで、作業エリア（農地）Ａにおいて、腕輪型移動ノード４が作業エリアＡに設置されたセンサノード２への設定ファイルの情報設定が行われたことを情報設定確認用表示部４２に表示し、腕輪型移動ノード４のブザー４１が作業エリアＡに設置されたセンサノード２への設定ファイルの情報設定が行われたことを情報設定音で報知し、腕輪型移動ノード４を腕に装着した作業者１はブザー４１及び情報設定確認用表示部４２で情報設定音と情報設定表示の確認を行う（ステップＳ２０５）。
【００９９】
その後、作業エリア（農地）Ａにおいて、腕輪型移動ノード４を腕に装着した作業者１は通常作業を行う（ステップＳ２０６）。
【０１００】
次いで、次の作業エリア（農地）Ｂにおいて、腕輪型移動ノード４を腕に装着した作業者１は作業エリアＢに設置されたセンサノード２に近づき、腕輪型移動ノード４によるセンサノード２への設定ファイルの情報設定を行う（ステップＳ２０７）。
【０１０１】
次いで、次の作業エリア（農地）Ｂにおいて、腕輪型移動ノード４が作業エリアＢに設置されたセンサノード２への設定ファイルの情報設定が行われたことを情報設定確認用表示部４２に表示し、腕輪型移動ノード４のブザー４１が作業エリアＢに設置されたセンサノード２への設定ファイルの情報設定が行われたことを情報設定音で報知し、腕輪型移動ノード４を腕に装着した作業者１はブザー４１及び情報設定確認用表示部４２で情報設定音と情報設定表示の確認を行う（ステップＳ２０８）。
【０１０２】
その後、次の作業エリア（農地）Ｂにおいて、腕輪型移動ノード４を腕に装着した作業者１は通常作業を行う（ステップＳ２０９）。
【０１０３】
次いで、管理エリア（事務所）Ｄにおいて、腕輪型移動ノード４から無線アクセスポイント装置３経由で設定情報である設定ファイルを管理サーバ６へ送信する（ステップＳ２１０）。
【０１０４】
その後、管理エリア（事務所）Ｄにおいて、管理サーバ６が設定ファイルの管理を行う（ステップＳ２１１）。
【図面の簡単な説明】
【０１０５】
【図１】本発明の実施例に係る運用管理サービスシステムを示すシステム構成図。
【図２】本発明の実施例に係る運用管理サービスシステムの腕輪型移動ノードを示す図。
【図３】本発明の実施例に係る運用管理サービスシステムの腕輪型移動ノードに装着される情報採取用チケットカードを示す図。
【図４】本発明の実施例に係る運用管理サービスシステムの腕輪型移動ノードに装着される情報設定用チケットカードを示す図。
【図５】本発明の実施例に係る運用管理サービスシステムにおける情報採取用チケットカードの選択と腕輪型移動ノードへの装着及び腕輪型移動ノードによるセンサノードからのログの収集時の処理の流れを説明するフローチャート図。
【図６】本発明の実施例に係る運用管理サービスシステムにおける情報設定用チケットカードの選択と腕輪型移動ノードへの装着及び腕輪型移動ノードによるセンサノードへの設定ファイルの設定時の処理の流れを説明するフローチャート図。
【符号の説明】
【０１０６】
１  作業者
２  センサノード
３  無線アクセスポイント装置
４  腕輪型移動ノード
５  情報採取用チケットカード
６  管理サーバ
７  情報設定用チケットカード
８  ＬＡＮ
９  運用代行会社
１０  顧客先
２０  ログ
４０  情報採取確認用表示部
４１  ブザー（報知手段）
４２  情報設定確認用表示部
４３  移動ノード本体
４４  バンド
４５  スロット
５０  記録部
５１  ＩＤ部
５２  データ部
６０  収集ログデータベース
６１  ログ収集状況管理データベース
６２  設定値管理データベース
７０  設定ファイル
７１  記録部
７２  ＩＤ部
７３  データ部
９０  管理者端末
９１  表示部
Ａ，Ｂ，Ｃ  作業エリア（農地）
Ｄ  管理エリア（事務所）
ＮＷ  ネットワーク
Ｓ  運用管理サービスシステム
【図１】
2007336318.tif 000003
【図２】
2007336318.tif 000004
【図３】
2007336318.tif 000005
【図４】
2007336318.tif 000006
【図５】
2007336318.tif 000007
【図６】
2007336318.tif 000008